(57)【要約】      （修正有）【課題】備忘録やカレンダー、そしてちょっとした小物を一体に設けることができ、使用が便利な備忘スタンドを提供する。【解決手段】適宜な高さと幅を有するプレート本体１を設け、プレート本体１の下端には、回転台２を設け、プレート本体１と台２とを回転可能にし、また、プレート本体１の下部には、上部を開口した物入れ部３，４をそれぞれ設け、物入れ部３，４は、１又は複数の仕切り板５で複数に仕切り、プレート本体１の表裏面には、備忘録やカレンダー等の紙面が装着できる空間部を有する表裏面Ｘを形成する。【選択図】図４
0003189218.tif 000002
【実用新案登録請求の範囲】
【請求項１】
適宜な高さと幅を有するプレート本体（１）を設け、
該プレート本体の下端には、回転台（２）を設け、前記プレート本体（１）と該台（２）とを回転可能にし、
また、前記プレート本体（１）の下部には、上部を開口した物入れ部（３）（４）をそれぞれ設け、
該物入れ部（３）（４）は、１又は複数の仕切り板（５）を設けて仕切り、
前記プレート本体（１）の表裏面には、備忘録（６）やカレンダー（７）等の紙面が装着できる空間部を有する表・裏面（Ｘ，Ｘ′）を形成することを
特徴とする備忘スタンド。
【考案の詳細な説明】
【技術分野】
【０００１】
この考案は、備忘スタンドに関し、特に、メモ書きや身の回りの小物等も一体に収納できる備忘スタンドに関するものである。
【背景技術】
【０００２】
従来、日々の忙しさにかまけて必要な用事を忘れないために、メモに書きとめ、それを常に見えやすい箇所に表示しておかないと、忘れてしまう場合が多々あった。
【０００３】
そのため、備忘録があり、備忘録は記憶すべき事項を簡単にメモするための個人的な雑記帳であり、頭では覚えられない場合に、極めて便利なものである。
【０００４】
また、カレンダーや日めくり等も、通常、室内の壁部分に紐で掛けたり、押しピンで止めて設けているが、目が悪いと、一々、近く迄近寄って行って見る必要があり、不便なものであった。
【０００５】
また、それに対して、卓上カレンダーのように１２ケ月のものを１ケ月ごとに設け、次月のページのものと順次入れ替えるものがある。
【０００６】
この卓上カレンダーは、身近で見ることができ、便利ではあるが、卓上カレンダーは起立して設けているが、備忘録は卓上に載置しておくものであり、一緒に設けることは出来なかった。
【考案の概要】
【考案が解決しようとする課題】
【０００７】
そこで、この考案の課題は、備忘録やカレンダー、そしてちょっとした小物を一体に設けることができ、使用に便利な備忘スタンドを開発・提供することにある。
【課題を解決するための手段】
【０００８】
そこでこの考案は、上記の課題を解決すべく、適宜な高さと幅を有するプレート本体を設け、該プレート本体の下端には、基盤を設け、該基盤には軸を設け、前記プレート本体と回転可能に軸支し、また、前記プレート本体の下部には、上部を開口した物入れ部を設け、該物入れ部は、１又は仕切り板で複数に仕切られ、前記プレート本体の表裏面には、備忘録やカレンダー等が装着できる空間部を形成した備忘スタンドである。
【考案の効果】
【０００９】
この考案によると、回転台に設けたプレート本体の表・裏両面に、備忘録やカレンダーを装着でき、見えやすく便利であるとの有益なる効果を奏するものである。
【００１０】
しかも、プレート本体の下部には、それぞれ物入れ部を設けており、この物入れ部に携帯電話、つめ切り、眼鏡等の小物を配置することができ、近くに存在することにより手早く取ることができる等の効果を奏するものである。
【００１１】
また、プレート本体は回転台によって安定よく起立しており、表裏の物入れ部に入れた小物を回転することにより、スムーズに取り出すことが出来る等の極めて有益なる効果を奏するものである。
【図面の簡単な説明】
【００１２】
【図１】この考案の一実施例を示す正面図である。
【図２】この考案の一実施例を示す背面図である。
【図３】この考案の一実施例を示す平面図である。
【図４】この考案の一実施例を示す斜視図である。
【図５】この考案の一実施例を示す斜視図である。
【図６】この考案の使用状態を示す斜視図である。
【図７】この考案の使用状態を示す斜視図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図面に基づいて詳述すると、適宜な高さと幅を有するプレート本体（１）を設け、該プレート本体の下端には、回転台（２）を設け、また、前記プレート本体（１）の下部には、上部を開口し、主にメガネ専用スペースの物入れ部（３）と、他の物を入れる物入れ部（４）を設け、該物入れ部（３）は、図面では５分割した仕切り板（５）を示しており、物入れ部（４）は図面では２分割たものを示しており、前記プレート本体（１）の表裏面には、備忘録（６）やカレンダー（７）等の紙面が装着できる空間部を有するの表裏面（Ｘ，Ｘ′）を形成することを特徴とする備忘スタンドから構成される。
【００１５】
尚、前記基台（２）は、プレート本体（１）と回転軸（１ａ）によって回転可能に軸支し、また、回転によってプレート本体（１）が倒れないように錘と機能する素材で形成することが望ましい。
【００１６】
また、プレート本体（１）と一体に形成され、上部を開口した物入れ部（３，４）は、一方には、深さを有する物入れ部（３または４）は、５つの空間に仕切り、他方の深さのない物入れ部（５）は２つの空間に仕切るものであり、一例としては、深さを有する物入れ部（３または４）にはメガネ、はさみ、筆記具、定規等を収納し、深さのない物入れ部（４または３）には、つめ切り、ピンセット等を収納するものである。
【００１７】
また、前記プレート本体（１）の下部に設ける物入れ部（４）は、備忘録（６）やカレンダー（７）等が装着できる空間部を有するの表・裏面（Ｘ，Ｘ′）を保持できる高さに形成する必要があり、プレート本体（１）の片面あるいは両面にそれぞれ形成してもよい。
【００１８】
そして、前記プレート本体（１）は、マグネット板（８）を接着・固定して設け、備忘録（６）を磁性を有するマグネットピン（９）で止めてもよく、また、他のピン等の止め具で固定してもよい。
【００１９】
また、カレンダー（７）は、クリップ（10）で、プレート本体（１）と一体に挟んで固定してもよいものである。
【産業上の利用可能性】
【００２０】
この考案の備忘スタンドの技術を確立し、実施することにより、産業上利用できるものである。
【符号の説明】
【００２１】
１  プレート本体
１ａ  回転軸
２  回転台
３  物入れ部
４  物入れ部
５  仕切り板
６  備忘録
７  カレンダー
Ｘ  空間部を有する表面
Ｘ′空間部を有する裏面
８  マグネット板
９  マグネットピン
10  クリップ
【図１】
0003189218.tif 000003
【図２】
0003189218.tif 000004
【図３】
0003189218.tif 000005
【図４】
0003189218.tif 000006
【図５】
0003189218.tif 000007
【図６】
0003189218.tif 000008
【図７】
0003189218.tif 000009